(57)【要約】穿孔されていない文書１６用クリップレポートカバー１は、保持片７、連結リブ８及びクリップ片９によってなされ、内方に旋回するか挟み込まれた状態で前記クリップレポートカバー１にわたって広がるＵ字形のクリップ要素５を含む。前記クリップ片９のクリップエッジ１２は前記保持片７のクリップ面１９を越えて下がり、好ましくは文書１６の高さが減った後にも文書１６を堅く締付けるように保持片７に形成されたクリップスロット１４または保持片溝２０内に下がる。【選択図】図３
2010537853.tif 000002
【特許請求の範囲】
【請求項１】
レポートカバー背面部１５とレポートカバー前面部３、及び旋回方式または可動方式で前記レポートカバー背面部１５及びレポートカバー前面部３にわたって広がり、前記レポートカバー背面部１５とかかわりあう保持片７とクリップエッジ１２を持つクリップ片９を有する実質的にＵ字形の弾性クリップ要素５からなり、前記クリップ片９は連結リブ８によって前記保持片７に弾性的に付着され保持片７の前方エッジ１８の方に下がるように構成された、穿孔されていない文書用クリップレポートカバー１において、締め付け効果の向上のために、前記クリップ片９のクリップエッジ１２が保持片７のクリップ面１９を越えて下がることを特徴とする、クリップレポートカバー。
【請求項２】
前記保持片７は、前記保持片７の前方エッジ１８に近くに平行に形成され、前記クリップ片９のクリップエッジ１２の反対側に配設された保持片溝２０を持つことを特徴とする、請求項１に記載のクリップレポートカバー。
【請求項３】
前記保持片７は、前記保持片７の前方エッジ１８に近くに平行に形成され、前記クリップ片９のクリップエッジ１２の反対側に配設されたクリップスロット１４を持つことを特徴とする、請求項１に記載のクリップレポートカバー。
【請求項４】
前記クリップエッジ１２は前記保持片溝２０または前記クリップスロット１４より短く、前記保持片溝２０または前記クリップスロット１４内に入ることを特徴とする、請求項２または３に記載のクリップレポートカバー。
【請求項５】
前記保持片溝２０または前記クリップスロット１４の縦方向エッジは丸く形成されることを特徴とする、請求項２ないし４のいずれか１項に記載のクリップレポートカバー。
【請求項６】
内方に旋回するかまたは滑ったクリップ要素５で覆われた前記レポートカバー前面部３の領域にはウィンドウ４が切断されて、前記レポートカバー背面部１５上にフラップ２１を形成することを特徴とする、請求項１に記載のクリップレポートカバー。
【請求項７】
前記クリップ要素５は、熱硬化材、金属材、または弾性変形材からなることを特徴とする、請求項１に記載のクリップレポートカバー。
【請求項８】
旋回可能に構成されたクリップ要素５が前記レポートカバー背面部１５のピボット点６の保持片７によって保持され、前記ピボット点６に向かうクリップ片９の部分は、クリップ要素５の内側への容易な旋回のために挿入顎２２をなすように膨出されていることを特徴とする、請求項１に記載のクリップレポートカバー。
【請求項９】
前記ピボット点６は前記クリップ要素５の底面に設けられることを特徴とする、請求項８に記載のクリップレポートカバー。
【発明の詳細な説明】
【技術分野】
【０００１】
本発明は、レポートカバー背面部とレポートカバー前面部、及び旋回方式または可動方式で前記レポートカバー背面部及びレポートカバー前面部にわたって広がり、前記レポートカバー背面部とかかわりあう保持片とクリップエッジを持つクリップ片を有する実質的にＵ字形の弾性クリップ要素からなり、前記クリップ片は連結リブによって前記保持片に弾性的に付着され保持片の前方エッジの方に下がるように構成された、穿孔されていない文書用クリップレポートカバーに関する。
【背景技術】
【０００２】
ゆるく挟み込まれた、穿孔されていない文書用クリップレポートカバーまたはフォルダは折畳部によって縦辺が連結されたレポートカバー背面部及びレポートカバー前面部からなる。文書はクリップレポートカバーに挟み込まれるか、あるいはフォルダは実質的にＵ字形のクリップ要素の背面部と前面部との間に締付けられ、前記Ｕ字形クリップ要素は弾性材で作られ、フォルダの中間部に、かつ折畳部の近くに可動方式で付着され、挟み込まれた文書を望まない方法で損傷せずにフォルダの外側面にわたって広がる。
【０００３】
ＥＰ  ０  ６０９  ５６８に開示されたクリップレポートカバーにおいて、弾性材、例えばプラスチックまたはシート金属でなるクリップ要素は、上端部がレポートカバー背面部に付着され、垂直軸の周囲に旋回できる実質的に平面状の保持片、及び保持片の縦辺上の連結リブによって一体的に成形された弾性的に構成されたクリップ片を含む。保持片はクリップ片より長く形成される。ここで、保持片の細長い上側端にはレポートカバー背面部上に旋回可能に装着できるようにする開口部が形成される。クリップ要素が内方に旋回した状態で、レポートカバー背面部及びレポートカバー前面部とその間に差し込まれた文書は保持片とクリップ片との間に締め付けられる。外方に旋回した後、クリップ要素はそれ以上クリップレポートカバーの背面部及び前面部とかかわりあわないので、文書またはその一部を除去することができるか、新しい文書を付け加えることができるか、あるいは除去された文書をより多いか少ない文書に取り替えることができる。
【０００４】
しかし、旋回可能なクリップ要素または滑り可能なクリップ要素は、クリップ要素の締付け力またはその材料の弾性締付け効果が中途に弱まり、保持片とクリップ片との間のクリップ開口部が中途に広くなって、文書が外に滑り出るため、以前に厚い文書に使用されたクリップレポートカバーを薄い文書の固定に再び満足に使うことができないという点で不利である。この場合、クリップ要素の複雑な取り扱いはクリップ間隙幅の減少に差し支えとなる。
【発明の概要】
【発明が解決しようとする課題】
【０００５】
本発明は、反復使用で文書の厚さが減った場合にも文書を確実に締め付け、クリップ要素の簡素な取り扱いを保障する方式で旋回可能なクリップ要素を備えたクリップレポートカバーをさらに開発しようとする目的に基づく。
【課題を解決するための手段】
【０００６】
本発明によれば、前記目的は本発明の請求項１の特徴にしたがって構成されたクリップレポートカバーによって解決される。
【０００７】
一般のクリップレポートカバーにおいて、本発明の基本概念はクリップ片のクリップ面が保持クリップのクリップ面の下に下がることにある。すなわち、クリップ間隙幅が負の値を有するので、以前に締め付けられている文書に比べて文書高さが減った場合であっても十分な締付け力が保障される。この負のクリップ間隙幅は、好ましくは文書が単に摩擦方式だけで定位置に固定されるものではなくクリップスロット上の文書または保持片溝に形成された小凹部または湾入部によって定位置に確実にロックされる方式で弾性クリップ片のクリップエッジがクリップスロット内にあるいは保持片内に形成された丸い保持片溝に押し込まれることで得られる。旋回可能に形成されたクリップ要素は、クリップ要素が人間工学的に有利な方式で配置されるように下側端がクリップレポートカバーにヒンジ結合されるかあるいはレポートカバー背面部にヒンジ結合され、また本発明によって改良された締付け効果によって片手で易く移動可能である。しかし、クリップ要素はクリップレポートカバー上にスライド方式で保持されることもできる。
【０００８】
本発明の有利な開発及び有用な構造は後述するクリップレポートカバーの実施例によってかつ従属請求項によって明らかになる。
【図面の簡単な説明】
【０００９】
【図１ａ】クリップ要素が外方に旋回したクリップレポートカバーの平面図である。
【図１ｂ】図１ａによるクリップレポートカバーが広げられ、クリップ要素が内方に旋回して文書を締付ける状態の平面図である。
【図２】クリップスロットを有するが文書がないクリップ要素の概略断面図である。
【図３】図２によるクリップ要素に文書が締め付けられている状態の概略断面図である。
【図４】クリップスロットを有するクリップ要素の斜視図である。
【図５】保持片に溝が一体的に形成されたクリップ要素の平面図である。
【図６】図５によるクリップ要素の断面図である。
【発明を実施するための形態】
【００１０】
クリップレポートカバー１は、レポートカバー背面部１５と、図面上で見てレポートカバー背面部１５の左側エッジに折畳部２によって連結されるレポートカバー前面部３とを含む。レポートカバー前面部３は折畳部２から始めてウィンドウ４が切断されている。ウィンドウ４の領域には、ピボット点６の周囲に回転できるクリップ要素５が付着されている。実質的にＵ字形のクリップ要素５は、保持片７と、連結リブ８によって前記保持片７に一体的に連結され、保持片７に向かって曲がって低まるクリップ片９とからなる。クリップ要素５は弾性的に変形可能な硬質プラスチックで作られている。保持片７は、その内側面がレポートカバー背面部１５の外側面の反対側に配置されてクリップ片９より長く形成されるもので、クリップ片9を越えて広がる下側部１０にボア孔１１を有し、このボア孔１１によって、クリップ要素５がリベット（図示せず）と一緒にレポートカバー背面部１５に旋回可能に連結される。図１ａに示すように外方に旋回された位置で、文書１６を挟み込むか除去することができる。図１ｂに示すレポートカバー１が広げられた状態で、クリップ要素５はレポートカバー背面部１５にわたって、かつフラップ２１にわたって広がり、前記フラップ２１はウィンドウ４を切断した後に残って折畳部２に連結される。文書１６はレポートカバー１に挟み込まれ、内方に旋回された状態でウィンドウ４の領域のフラップ２１で覆われるので、弾性的に構成されたクリップ要素５の自由クリップエッジ１２によって締め付けられる。クリップ要素５が矢印１３の方向に折畳部２から旋回されると、文書１６はレポートカバー１内で自由になり、全体としてまたは分けて取り出すことができる。
【００１１】
文書１６の高さがかなり減った場合であっても、（ウィンドウ４内に残っているフラップ２１と一緒に）レポートカバー背面部１５及び文書１６にわたって広がる、繰り返し旋回したクリップ要素５の締付け効果は後述する特定の構造によって常に維持される。
図２ないし図４に示すように、保持片７にはクリップスロット１４が配設されており、このクリップスロット１４は保持片７の前方エッジに平行に形成されクリップエッジ１２の反対側に配置され、クリップスロット内には、クリップ要素５が内方に旋回された状態で図２によるクリップエッジ１２が突っ込まれるので、クリップの間隙幅が負の値“ａ”を取り、よって締付け効果が増大することができる。図３に示すように、レポートカバー背面部１５及び文書１６はクリップスロット１４の上に位置してクリップスロット１４を覆うため、クリップエッジ１２は文書１６をフラップ２１と一緒にクリップスロット１４内に、つまり保持片７のクリップ面１９の下に少し押し込むことになるので、締め付け効果が増大するとともに文書は単に摩擦方式だけで定位置に固定されるものではなくて凹部１７内の定位置に確実にロックされる。摩擦ロック及び確実なロック固定の組み合わせによって、高さの減少した文書１６が連続使用中にクリップカバー１内に常にしっかりと保持される。
【００１２】
クリップレポートカバーの容易な取り扱いのためには、底面のピボット点６のためクリップ要素５を易く作動させることが重要である。クリップ要素５はクリップ片７の下端に設けられたピボット点６によって人間工学的に有利な方式で配置されるので、手の動作で容易に作動させることができる。また、クリップ片７のクリップエッジ１２及び保持片７の前方エッジ１８はビード状に丸くなり、よってクリップ要素５の可動性を容易にし、紙を保持するためのうまく丸くなった凹部１７を文書１６に提供する。さらに、ピボット点６を指すクリップ片９の前方辺の一部は顎状に開いているので（挿入顎２２）、内側への旋回中にクリップ要素５が易く滑ることができる。
【００１３】
図５及び図６は旋回可能に構成されたクリップ要素５の他の実施例を示すもので、保持片７には、クリップスロット１４の代わりに、クリップ片９のクリップエッジ１２が保持片７のクリップ面１９の下に下がることができる方法で保持片溝２０が一体的に形成される。図６の断面図には、クリップエッジ１２、保持片溝２０、及び保持片７の前方エッジ１８のうまく丸くなった構造が示されている。
【符号の説明】
【００１４】
１    クリップレポートカバー
２    折畳部
３    レポートカバー前面部
４    ウィンドウ
５    クリップ要素
６    ピボット点
７    保持片
８    連結リブ
９    クリップ片
１０    保持片の下側部
１１    下側のボア孔
１２    クリップ片のクリップエッジ
１３    矢印
１４    クリップスロット
１５    レポートカバー背面部
１６    文書
１７    文書の凹部
１８    凹部の前方エッジ
１９    保持片のクリップ面
２０    保持片溝、クリップ溝
２１    フラップ
２２    挿入顎
【図１ａ】
2010537853.tif 000003
【図１ｂ】
2010537853.tif 000004
【図２】
2010537853.tif 000005
【図３】
2010537853.tif 000006
【図４】
2010537853.tif 000007
【図５】
2010537853.tif 000008
【図６】
2010537853.tif 000009
【国際調査報告】
2010537853.tif 000010
2010537853.tif 000011
2010537853.tif 000012
2010537853.tif 000013
2010537853.tif 000014
2010537853.tif 000015